(57)【要約】【課題】  携帯電話機など携帯情報端末に搭載された多様な機能中、特に頻繁に使用する機能を優先的に呼び出して簡易に実行できるようにする。【解決手段】  各種機能キーが配列された操作部２と表示画面を有する表示部３がヒンジ部４を介して開閉する方向へ折り畳み可能となっている携帯電話機１において、操作部２の側面に機能呼び出しスイッチ５を設け、操作部２と表示部３が閉じた閉状態から開いた開状態への動作時または開状態から閉状態への動作時に、機能呼び出しスイッチを５を押し下げてオン状態にすると、予め登録されている頻繁に使用する例えば電子メール機能などを優先的かつ簡便にその一連の手順を実行する。【選択図】  図１
2006197093.tif 000002
【特許請求の範囲】
【請求項１】
携帯情報端末であって、
第１の筐体と、
第２の筐体と、
前記第１の筐体と前記第２の筐体を開閉可能に接続するヒンジ部と、
前記第１の筐体と前記第２の筐体の、閉状態から開状態への動作又は開状態から閉状態への動作のいずれかを検知する遷移動作検知部と、
前記第１の筐体、前記第２の筐体、及び前記ヒンジ部の少なくとも一つに設けられ、その操作により携帯情報端末の少なくとも一つの機能を呼び出す機能呼び出しスイッチと、
前記機能呼び出しスイッチの操作中に、前記遷移動作検知部により前記動作の検知がなされたとき、前記機能を呼び出す制御部と、を備える携帯情報端末。
【請求項２】
請求項１記載の携帯情報端末であって、
前記動作時に前記機能を実行する手順が格納されている記憶部を更に備え、
前記制御部は、前記機能呼び出しスイッチの操作によるオン信号と、前記遷移動作検知部による前記動作の検知に対応する状態遷移信号を検出し、
前記オン信号が維持されている間に前記状態遷移信号を検出したとき、前記制御部は、前記記憶部から前記手順を読み出し前記機能を実行する制御を行う、携帯情報端末。
【請求項３】
請求項１又は２記載の携帯情報端末であって、
前記機能呼び出しスイッチが押しボタン式のスイッチより構成され、当該機能呼び出しスイッチが押し下げられた状態において前記機能が呼び出される、携帯情報端末。
【請求項４】
請求項１ないし３のいずれか１項記載の携帯情報端末であって、
前記機能呼び出しスイッチが、前記第１の筐体と前記第２の筐体のいずれかの側面に設けられている、携帯情報端末。
【請求項５】
携帯情報端末であって、
第１の筐体と、
第２の筐体と、
前記第１の筐体と前記第２の筐体を開閉可能に接続するヒンジ部と、
前記第１の筐体と前記第２の筐体の、閉状態から開状態への動作又は開状態から閉状態への動作と同時に操作されることにより、携帯情報端末の少なくとも一つの機能を呼び出す手段と、を備える携帯情報端末。
【発明の詳細な説明】
【技術分野】
【０００１】
本発明は、携帯電話機などの携帯情報端末に関するものであり、特に折り畳み式の携帯情報端末における、開閉操作と機能呼び出しの技術に関するものである。
【背景技術】
【０００２】
携帯電話機等本体の形状は、旧来のストレート型端末に代わって折り畳み式端末が主流となりつつあり、さらに進化して回転機構を具備した端末も市販され始めてきている。機能面でも携帯電話機は電子メール、Ｗｅｂ閲覧、カメラおよびＴＶ電話など多機能化してきており、近年、さらに電子マネー機能やＩＣリーダ機能なども組み込まれる動向にあるなど、単なる携帯電話機というよりむしろ情報端末としての利用形態に変化しつつある（例えば特許文献１参照）。
【０００３】
【特許文献１】特開２００２−１５８７５８号公報
【発明の開示】
【発明が解決しようとする課題】
【０００４】
ところで、そのように多機能化した携帯電話機の場合、特に折り畳み式では使用時にその都度折り畳まれた状態の端末本体を開かなければならない。例えば、電子メール機能を頻繁に使用するユーザにとって、メール作成画面またはメール閲覧画面を呼び出して操作するのに毎回毎回その度ごとに端末本体を開いてから操作手順を追いながら実行する必要があり、面倒なものとなっている。この問題は、携帯電話機のみならず、折畳式の携帯端末総てに共通の問題である。
【０００５】
したがって、本発明の目的は、携帯電話機等に搭載された多様な機能中、特に頻繁に使用する機能を優先的に呼び出して簡易に実行できるようにした携帯情報端末を提供することにある。
【課題を解決するための手段】
【０００６】
本発明の携帯情報端末は、第１の筐体と、第２の筐体と、前記第１の筐体と前記第２の筐体を開閉可能に接続するヒンジ部と、前記第１の筐体と前記第２の筐体の、閉状態から開状態への動作又は開状態から閉状態への動作のいずれかを検知する遷移動作検知部と、前記第１の筐体、前記第２の筐体、及び前記ヒンジ部の少なくとも一つに設けられ、その操作により携帯情報端末の少なくとも一つの機能を呼び出す機能呼び出しスイッチと、前記機能呼び出しスイッチの操作中に、前記遷移動作検知部により前記動作の検知がなされたとき、前記機能を呼び出す制御部とを備える。
【０００７】
この構成により、操作部と表示部をその都度開いた状態で所望する機能を手順に従って操作実行する従来の手間を省き、例えば閉じた状態で機能呼び出しスイッチを操作することで、予め登録されている特に頻繁に使用する機能の手順を実行する。
【０００８】
携帯情報端末には、前記動作時に前記機能を実行する手順が格納されている記憶部を更に設けることができる。この構成下では、前記制御部は、前記機能呼び出しスイッチの操作によるオン信号と、前記遷移動作検知部による前記動作の検知に対応する状態遷移信号を検出し、前記オン信号が維持されている間に前記状態遷移信号を検出したとき、前記制御部は、前記記憶部から前記手順を読み出し前記機能を実行する制御を行う。
【０００９】
この構成により、頻繁に使用する機能を特定し、予め記憶部に格納することができる。
【００１０】
また、前記機能呼び出しスイッチを押しボタン式のスイッチより構成することができる。この場合、当該機能呼び出しスイッチが押し下げられた状態において前記機能が呼び出される。また、前記機能呼び出しスイッチを、前記第１の筐体と前記第２の筐体のいずれかの側面に設けることができる。
【００１１】
この構成により、開閉操作と機能の呼び出しを同時に容易に行うことができる。尚、第１の筐体は、上側筐体と下側筐体のいずれか一つに対応し、第２の筐体は他方に対応する。
【発明の効果】
【００１２】
本発明による携帯情報端末によれば、機能呼び出しスイッチを操作するだけで簡便かつ迅速に所望する機能を立ち上げて実行することができる。
【発明を実施するための最良の形態】
【００１３】
以下、本発明にかかる携帯情報端末の一実施形態について、図を参照して詳細に説明する。
【００１４】
図１は、携帯情報端末の代表的な一実施形態である携帯電話機１を示している。この携帯電話機１は表示部３を有する上側筐体１Ａと操作部２を有する下側筐体１Ｂが、互いにヒンジ部４で開閉回動が可能に連結されたいわゆる折り畳み式携帯電話機である。両筐体はヒンジ部４を介して相対方向へ開閉自在に連結され、そのヒンジ部内を挿通する通信ケーブルで電気的に接続されている。また、ヒンジ部４には開状態から閉状態への遷移状態、その逆の閉状態から開状態の遷移状態を検出するための図２に示す遷移動作検出回路（遷移動作検知部）１０が内蔵されている。
【００１５】
下側筐体１Ｂの操作部２には、数字キーやカーソルキーなど各機能を実行するキーを配列した入力部が設けられている。また、下側筐体１Ｂの側面には、機能呼び出しスイッチ５が設けられている。この機能呼び出しスイッチ５は、ユーザが押し下げ操作するオン・オフスイッチ方式となっており、押し下げによってオン状態となり、非押下時はオフ状態となっている。
【００１６】
図２に示す機能ブロック図において、入力装置１１は、上述した操作部の数字キーやカーソルキーなど各機能を実行するためのキー及び当該キーに対する操作を検知するセンサ（圧力センサ等）からなっている。表示部３に設けられた表示装置１２は液晶パネルなどのディスプレイ画面から構成されている。また、装置全体の制御を司るＣＰＵ、ＲＡＭおよびＲＯＭなどの記憶手段を備える制御手段である制御回路（制御部）１３を有し、この制御回路１３に例えば無線部１４、カメラ部１５、非接触ＩＣ部１６およびバイブレータ部１７などの各機能を実行するための回路が接続されている。勿論それらの機能は例であり、他の機能を設けることもでき、所定の機能を省略することもできる。
【００１７】
また、図３の表に示すように、上記ヒンジ部４に内蔵された遷移動作検出回路１０は、２つの状態遷移を示すフラグ（ｆｌｇ）ａ，ｂによって立ち上がるパルス信号を出力する構成となっており、定常状態時、閉状態から開状態への遷移時、開状態から閉状態への遷移時にそれぞれ「０」，「１」のデジタル検出信号を出力するようになっている。フラグは状態遷移信号に対応する。
【００１８】
遷移動作検出回路１０が、携帯電話機１の開状態又は閉状態を検出するための構成には種々のものを採用することができる。例えば、上側筐体１Ａと下側筐体１Ｂ各々に金属導体を配置しておき、両導体の接続時は開状態となり、両導体の分離時は閉状態となるよう、予め携帯電話機１を設計することができる。またこのような接続する二つの導体の代わりに、通信周波数下で高周波接続する導体を両筐体に埋め込んでおき、二つの導体の容量結合の有無により、開状態又は閉状態を検出することができる。
【００１９】
また、記憶回路Ａ１８，記憶回路Ｂ１９が制御回路１３に接続されており、記憶回路Ａ１８には閉状態から開状態に遷移した際に所望の機能を呼び出すための機能呼び出し手順が予め登録され、他方の記憶回路Ｂ１９には開状態から閉状態に遷移した際に所望の機能を呼び出すための機能呼び出し手順が予め登録されている。記憶回路Ａ１８に格納された手順は、上記フラグａが立ち上がったときに読み出され、記憶回路Ｂ１９に格納された手順は、上記フラグｂが立ち上がったときに読み出される。記憶回路は通常のメモリなどにより構成することができる。
【００２０】
ここでいう閉状態とは、操作部２と表示部３が重ねて折り畳まれていることで、操作部２に具備される数字キーやカーソルキーなどが操作できない状態を示し、また開状態とは操作部２に具備される数字キーやカーソルキーなどが操作可能な状態を示すものとする。
【００２１】
記憶回路１８，１９に登録されているそれぞれの機能の呼び出し手順は、状態遷移した時点で上記機能呼び出しスイッチ５がオン状態になっているときに実行可能である。すなわち、閉状態から開状態へ、またはその逆である開状態から閉状態への遷移時に機能呼び出しスイッチ５が押し下げられているとき、制御回路１３によって呼び出されて所望の機能を実行できるようにしている。
【００２２】
図４は、記憶回路Ａ１８の呼び出し時における動作処理の流れを示すタイミングチャートであり、図５は記憶回路Ｂ１９の呼び出し時における動作処理の流れを示すタイミングチャート、そして図６は、他の場面におけるタイミングチャートをそれぞれ示す。
【００２３】
以下、かかる構成による実施形態の携帯電話機１の動作一例について、図４〜図６のタイミングチャートを参照して説明する。
【００２４】
例えば、記憶回路Ａ１８にはカメラ機能の一連の手順が予め登録されているものとする。そのカメラ機能を呼び出す場合は、操作部２と表示部３が折り畳まれた閉状態から、ユーザは機能呼び出しスイッチ５を押し下げつつ操作部２と表示部３を開く動作を行って開状態にセットする。そのように開状態にすると、図４に示すように、遷移動作検出回路１０のフラグ（ｆｌｇ）ａが立ち上がり、記憶回路Ａ１８の手順を呼び出す記憶回路Ａ呼び出しフラグが立ち上がる。当該フラグにより、記憶回路Ａ１８に登録されているカメラ機能呼び出し手順が制御回路１３によって呼び出される。制御回路１３はカメラ機能を実行すべくカメラ部１５および表示装置１２を起動する。
【００２５】
それに対して、例えば、記憶回路Ｂ１９にはバイブレータ機能の一連の手順が予め登録されているものとする。そのバイブレータ機能を呼び出す場合は、操作部２と表示部３が開いた開状態から、ユーザは機能呼び出しスイッチ５を押し下げつつ操作部２と表示部３を閉じる動作を行って閉状態にセットする。そのように閉状態にすると、図５に示すように、遷移動作検出回路１０のフラグ（ｆｌｇ）ｂが立ち上がり、記憶回路Ｂ１９の手順を呼び出す記憶回路Ｂ呼び出しフラグが立ち上がる。当該フラグにより、記憶回路Ｂ１９に登録されているバイブレータ機能呼び出し手順が制御回路１３によって呼び出される。制御回路１３はバイブレータ機能を実行すべくバイブレータ部１７を起動する。
【００２６】
そして、図６に示すように、操作部２と表示部３を開閉動作した際に、機能呼び出しスイッチ５を押し下げていない場合、機能呼び出し手順は実行されない。同様に、機能呼び出しスイッチ５を押し下げ動作させただけでは記憶回路１８，１９に登録された機能呼び出し手順は実行されない。すなわち、ユーザは操作部２と表示部３を開くか閉じるかのいずれかの動作と機能呼び出しスイッチ５の押し下げ動作とを同時に行うだけで、従来のように所望の機能を探したり選択して操作する煩わしさが解消される。
【００２７】
本発明による携帯情報端末によれば、例えば電子メール送受信やカメラ撮影など特に頻繁に使用する機能をいち早く実行したい場合、従来は折り畳まれた操作部と表示部をその都度開いてから操作手順に従って実行する手間があったが、機能呼び出しスイッチを操作するだけで簡便かつ迅速に所望する機能を立ち上げて実行できる。
【００２８】
上述の実施形態では、機能呼び出しスイッチ５を押しボタン式のスイッチにより構成し、下部筐体１Ｂの側面に設けたが、機能呼び出しスイッチ５の形状、操作方式、配置位置などは特に限定されない。例えばスライド式のスイッチにより構成することもできる。また、ヒンジ部４のいずれか一方の端部に、開閉用のボタンとは別に、又は開閉用ボタンと兼用して押しボタン式の機能呼び出しスイッチを設けることもできる。
【００２９】
また、上述の実施形態において、動作の開始から終了までスイッチ５を押し続ける必要は必ずしもない。あくまでも、遷移動作検出回路１０が、二つの筐体の閉状態から閉状態、又は開状態から閉状態の切り替わりを検出した瞬間、すなわちフラグ（ｆｌｇ）ａまたはフラグ（ｆｌｇ）ｂの立ち上がりの瞬間に、スイッチ５が押されていれば、記憶回路Ａ１８または記憶回路Ｂ１９が呼び出される。
【００３０】
別の観点から、本発明の携帯情報端末は、二つの筐体の開閉操作と同時にその少なくとも一つの機能を呼び出す手段を備えると把握することもできる。このような手段は、上述の実施形態では、遷移動作検出回路と、機能呼び出しスイッチと、制御回路により実現されているが、このような手段を実現する他の構成をも本発明は含み得る。
【００３１】
なお、本発明は以上の実施形態に限定されるものではなく、本発明の主旨を逸脱しない範囲内であれば他の実施形態およびそれらの組み合わせも可能である。
【産業上の利用可能性】
【００３２】
本発明は、携帯情報端末において、特に頻繁に使用する機能をいち早く実行したい場合、機能呼び出しスイッチを操作するだけで簡便かつ迅速に所望する機能を立ち上げて実行することを実現する。
【図面の簡単な説明】
【００３３】
【図１】本発明による携帯情報端末の実施形態の携帯電話機を示す斜視図。
【図２】実施形態による携帯電話機の機能ブロック図。
【図３】実施形態による遷移動作検出回路の出力フラグを示す表。
【図４】実施形態の記憶回路Ａの呼び出し動作時におけるタイミングチャート。
【図５】実施形態の記憶回路Ｂの呼び出し動作時におけるタイミングチャート。
【図６】実施形態の他の場面におけるタイミングチャート。
【符号の説明】
【００３４】
１    携帯電話機
２    操作部
３    表示部
４    ヒンジ部
５    機能呼び出しスイッチ
１０  遷移動作検出回路
１１  入力装置
１２  表示装置
１３  制御回路
１４  無線部
１５  カメラ部
１６  非接触ＩＣ部
１７  バイブレータ部
【図１】
2006197093.tif 000003
【図２】
2006197093.tif 000004
【図３】
2006197093.tif 000005
【図４】
2006197093.tif 000006
【図５】
2006197093.tif 000007
【図６】
2006197093.tif 000008